(57)【特許請求の範囲】
【請求項１】
新聞、雑誌等の複数の個別副製作物（９、１０、１１）から構成される印刷された製作物（Ａ、Ｂ、Ｃ）を製作する方法であって、複数の供給部（５、６、７、１９〜２４）が配置された製作ライン（Ｖ）に沿って個別副製作物（９、１０、１１）から製作物（Ａ、Ｂ、Ｃ）が構成され、製作ライン（Ｖ）に沿って順次移動し、供給部（５、６、７、１９〜２４）を通過する連続的収容部材（４、１６、３９、３９’）へ個別副製作物（９、１０、１１）がそれぞれ前記供給部で供給され、かつ構成された製作物（Ａ、Ｂ、Ｃ）が前記収容部材（４、１６）から搬送される、印刷製作物の製作方法において、
異なる形式の製作物（Ａ、Ｂ、Ｃ）を同時に製作するために、複数の特定収容部材（４、１６、３９、３９’）が一つ又は複数の供給部（５、６、７、１９〜２４）で個別副製作物（９、１０、１１）の供給を受け、かつ単一形式の製作物（Ａ、Ｂ、Ｃ）のための個別副製作物（９、１０、１１）のみが一つの収容部材（４、１６、３９、３９’）へ供給され、そのようにして複数の収容部材（４、１６、３９、３９’）上で異なる形式の製作物（Ａ、Ｂ、Ｃ）が形成されるが、それぞれ一つの収容部材（４、１６、３９、３９’）上には一形式の製作物（Ａ、Ｂ、Ｃ）のみが形成され、
第一形式の製作物（Ａ）の製作のために第一群の収容部材（４，１６）が第一群の供給部（１９、２０、２１）に連結され、かつ他の形式の製作物（Ｂ，Ｃ）の製作のために他の群の収容部材（１６）が他の群の供給部（２２、２３、２４）に連結されることを特徴とする印刷製作物の製作方法。
【請求項２】
製作されるべき各形式の製作物（Ａ、Ｂ、Ｃ）のために、それぞれ分離の群の収容部材（４、１６）およびそれぞれ分離の群の供給部（５、６、７、１９〜２４）が設けられることを特徴とする請求項１に記載の製作方法。
【請求項３】
一形式の製作物（Ａ、Ｂ、Ｃ）を製作するために、特定の供給部（５、６、７、１９〜２４）のみが、ｎ（ｎは１より大きい）個毎の収容部材に個別製作物（９、１０、１１）を供給することを特徴とする請求項１または２に記載の製作方法。
【請求項４】
一群の供給部（１９、２０、２１，２２、２３、２４）が順次に配置されることを特徴とする請求項１〜３のいずれか１に記載の製作方法。
【請求項５】
各群の供給部（５、６、７）間に異なる群の供給部（６、７）が配置されていて、相互に異なる群の供給部が連続的に配置されることを特徴とする請求項１〜３のいずれか１に記載の製作方法。
【請求項６】
結合部または接着部としての特定処理部（２６）が数群又は全群の収容部材（４、１６）に連結されることを特徴とする請求項１〜５のいずれか１に記載の製作方法。
【請求項７】
すべての製作物（Ａ、Ｂ、Ｃ）が単一移動部（８、３２）から移送されることを特徴とする請求項１〜６のいずれか１に記載の製作方法。
【請求項８】
異なる形式の製作物（Ａ、Ｂ、Ｃ）が異なる移動部から移送されることを特徴とする請求項１〜６のいずれか１に記載の製作方法。
【請求項９】
移送された製作物（Ａ、Ｂ、Ｃ）が、異なる製作物の流れ（３７、３８）に分割され、分割された流れ（３７、３８）が更に相互に別々に製作ラインへ供給されることを特徴とする請求項７または８に記載の製作方法。
【請求項１０】
連続的に移送された特定数の製作物（Ａ、Ｂ）が、更に共に包装処理されることを特徴とする請求項７〜９のいずれか１に記載の製作方法。
【請求項１１】
個別副製作物（９、１０、１１）は、前記収容部材上又は中に収集、運搬かつ／又は挿入されることを特徴とする請求項１〜１０のいずれか１に記載の製作方法。
【請求項１２】
前記収容部材（４、１６）へ供給される個別副製作物（９、１０、１１）又は前記収容部材から搬送される製作物（Ａ、Ｂ、Ｃ）が、搬送時に、自動的に作動可能なグリッパ（１２、１５、２８、３３）によってそれぞれ保持されることを特徴とする請求項１〜１１のいずれか１に記載の製作方法。
【請求項１３】
請求項１〜１２のいずれか１の製作方法を実行する装置。
【発明の詳細な説明】
【０００１】
【産業上の利用分野】
本発明は、請求項１の前提部分による、例えば新聞、雑誌又はそのような物である、複数の個々の製作物を具備する、印刷された製作物の処理方法に関する。
【０００２】
【従来の技術】
上記形式の周知の方法の場合、個々の製作物は、循環するサドル状の台上に収集される、又は二つの近接するサドル状の台の間に形成されるポケット状の収容部材に丁合い又は挿入される。この装置では、サドル状の台は、ドラム機構の回転する円筒形のドラムに、又は循環して駆動されかつ二つの離れたスピンドルの周りで偏向される、循環機構の循環する牽引部材に適合される。
【０００３】
処理部分は循環するサドル状の台の上方に提供され、処理部分によって、個々の製作物はサドル状の台又はそれらの間に形成される収容部材に供給され、この方法により、製作される印刷された製作物は集められる。
【０００４】
この方法で集められる印刷された製作物は、最終的に、例えば一つのグリッパによって把持され、更に先の処理のために、サドル状の台又はそれらの間に形成された収容部材から搬送される。
【０００５】
ドラム機構又は循環機構の操作のための上記方法は、異なる形式の印刷された製作物の製作に使用可能である。特定の形式に製作するために、特定の処理部分のみが作動され、及び／又は異なる個々の副製作物がその処理部分に供給される。
【０００６】
【発明が解決しようとする課題】
しかしながら、周知の方法の問題点は、構成されるドラム機構又は循環機構によって、それぞれの構成に一致する一つの形式の印刷された製作物のみが、それぞれの場合で製作可能であり、異なる形式の印刷された製作物を製造するには、機構の変換が必要とされることである。
【０００７】
本発明の目的は、導入部分で述べられた形式の方法を提供することである。それにより、複数の形式の印刷された製作物が同時に製作可能になる。
【０００８】
この目的は、本発明の請求項１の特徴によって達成される。
【０００９】
【課題を解決するための手段】
例えば新聞、雑誌又はそのような物である、複数の個々の副製作物を具備し、製作物は処理区域に沿う複数の処理部分で集められ、個々の該副製作物は、それぞれ上記処理部分で連続する収容部材に供給されかつ該収容部材から搬送される、本発明の印刷された製作物の処理方法は、特定の上記収容部材には、一つ又は複数の上記処理部分で個々の上記副製作物が供給されず、好適な実施例では異なる形式の製作物が同時に製作されることが可能なことを特徴とする。
【００１０】
本発明の方法により、異なる形式の製作物は、一つのドラム機構又は循環機構を使用する簡単な方法によって同時に製作可能である。本発明の方法を実行するために周知のドラム機構又は循環機構の機械的な変更は不要であり、経済的な点で効果的である。
【００１１】
本発明の方法を使用する簡単な例は、例えば雑誌又はちらし広告である別々の付録を備えた日刊又は週刊の新聞の製作である。
【００１２】
一部の地域では上記付録を備えた新聞が提供され、他の地域では新聞が付録なしで配付されることが必要とされる場合、付録を収容位置に搬送する処理部分は、例えば上記処理部分を通過する二個毎の収容位置のみ付録が満たされる方法で操作可能である。この方法で最終的に、ドラム機構又は循環機構の端部で、準備され集められた新聞を備えた製作物の流れになり、更にこの場合、二つ毎の新聞のみ付録が供給される。この製作物の流れは、付録を有する製作物の流れと付録を有さない製作物の流れに分割可能である。上記二つの製作物の流れは、例えば包装部分である、それぞれ必要とされる先の処理に供給可能である。好適には、異なる製作物が同一の包装部分に供給され、そこで異なる製作物は包装されて一つの包装ユニットを形成する。
【００１３】
第一の付録を有する部分と、例えば第一の付録と異なる第二の付録を有する部分を有する、新聞、雑誌及びそのような物が製造される場合にも、本発明の方法は使用可能である。この場合、収容位置を付録で満たす二つの処理部分は、上記方法で操作され、第一の処理部分は、第一の付録を二個毎の収容位置に満たし、第二の処理部分は、第一の付録が満たされた二つの収容位置の間に位置する収容位置に第二の付録を満たす。最終的に、ドラム機構又は循環機構の出口で、二つの製作物の流れが構成され、一方は第一の付録を備えた新聞を有し、他方は第二の付録を備えた新聞を有する。
【００１４】
例えば三つ又はそれより多い異なる付録又は分冊を備えた新聞、雑誌及びそのような物を同時に製作することも可能である。この場合、付録を供給する処理部分は、三個毎又はｎ個毎の収容位置に処理部分から供給される付録又は分冊が満たされる方法で、操作される。
【００１５】
本発明の方法が上記のように簡単に適用される場合に加えて、かなり複雑な実施例も実行可能である。その場合、提供された多数の処理部分又はすべての処理部分が、通過する特定の収容位置とのみ相互作用し、その結果、複数の異なる形式の製作物が同時に製作可能である。
【００１６】
この方法で製作される製作物の形式は、互いに完全に異なることが可能である。
【００１７】
それぞれ特定の部分のみ異なり、他の部分は一致する、異なる形式の製作物の製作もまた同様に製作可能である。相当する部分を製作する処理部分は、上述されたように、それらが通過するすべての収容位置と相互作用する方法で操作される。
【００１８】
注意されなければならないことは、同一の製作物は、ドラム機構又は循環機構の変更なしでも製造可能なことである。
【００１９】
本発明の方法の好適な実施例は、従属の請求項内で及び図を参照して説明される。
【００２０】
【実施例】
図１に示されかつ本発明による方法を実行する循環機構は、循環して駆動され、かつ離れて配置された二つの水平なスピンドル１、２を中心に偏向される、循環する牽引部材３を有する運搬装置を示す。牽引部材３上には、連続する梯子のように、サドル状の台４が配置される。二つに離れて配置される牽引部材３も供給可能である。
【００２１】
矢印の方向（搬送方向Ｆ）に牽引部材３を駆動することにより、台４は、搬送方向互い離れて配置される処理部分５、６、７、８を通過して水平方向に移動される。上記処理部分５、６、７、８は、Ｖで示される処理領域に沿って順々に配置される。
【００２２】
それぞれグリッパ１２を有しかつ周知の構造形式の供給用コンベヤは、一つ又は複数の部品を有する個々の副製作物９、１０、１１を供給する処理部分５、６、７が端部になっている。グリッパ１２は搬送手段に結合され、搬送手段は連続するグリッパ１２の搬送方向である矢印方向に移動する。処理部分５、６、７とサドル状の台４の間に形成される搬送領域では、搬送手段の移動方向は、本質的には平行であるが、台４の搬送方向と同一方向である。
【００２３】
この装置では、順々に続く処理部分５、６、７のグリッパ１２が、順々に続く台４上をそれぞれ通過するように、グリッパ１２及び台４の搬送速度は互いに適合される。仮に処理部分５、６、７のすべてのグリッパ１２が個々の製作物を有する場合、この方法で、各処理部分５、６、７によってすべての連続する台４に個々の副製作物を満たすことが可能である。
【００２４】
しかしながら本発明の図１の装置の操作の場合、処理部分５、６、７のすべてのグリッパ１２がそれぞれ副製作物を有するわけではなく、個々の副製作物９、１０、１１は、処理部分５、６、７の三個毎のグリッパ１２に把持される。グリッパ１２及び台４の搬送速度を相当して同期させることにより、それぞれ処理部分５、６、７によって、三個毎の台４にのみ、各処理部分５、６、７から供給された各副製作物９、１０、１１が満たされる。Ａによって区別される台４の集まりは処理部分５に割り当てられ、Ｂによって区別される台４の集まりは処理部分６に割り当てられ、Ｃによって区別される台４の集まりは処理部分７に割り当てられる。
【００２５】
処理部分５、６、７に提供されるグリッパ１２は、それぞれ開口ガイド１３によって自動的に作動可能である。その結果、グリッパ１２によって保持されるそれぞれの副製作物９、１０、１１は、それぞれ台４の上方で解放され、最終的に台４上にまたがるように積み重ねられることが可能である。
【００２６】
図１の処理部分５、６、７によって台４が個々の副製作物９、１０、１１で満たされる場合、処理部分５は、Ａで区別される台４の集まりを、製作される製作物Ａの第一の個々の製作物で満たすのに役立つ。相当して、処理部分６、７は、Ｂ及びＣで区別される台４のこれらの集まりを、製作される製作物Ｂ及びＣのそれぞれ第一の個々の製作物で満たすのに役立つ。処理部分５、６、７は、記号Ａ（Ｚ１）、Ｂ（Ｚ１）、Ｃ（Ｚ１）で区別される。
【００２７】
このような方法で見分けられる処理部分５、６、７は、（図１には図示されない）先の処理部分に隣接される。それを介して、台４は先の個々の副製作物で満たされる。例えば製作物ＡがＸの異なる個々の副製作物を有する場合、図１に示される処理部分は、先の処理部分Ａ（Ｚ２）、Ａ（Ｚ３）、‥‥Ａ（ＺＸ）に隣接される。同様に製作物Ｂ及びＣを製造するために、先の処理部分Ｂ（Ｚ２）、Ｂ（Ｚ３）、‥‥Ｂ（ＺＸ）及びＣ（Ｚ２）、Ｃ（Ｚ３）、‥‥Ｃ（ＺＸ）が提供される。しかしながらこの装置では、製作物Ａ、Ｂ及びＣが同数の個々の副製作物を有することは不可欠なことではない。というのは、異なる数の処理部分をそれぞれ個々の台４の集まりに割り当てることが可能だからである。
【００２８】
同様に、図１に示される方法は、製作物の異なる三つの形式の製作に限定されない。単に二つ又は三つより多い製作物の異なる形式でさえも同様に製作可能である。製作物の異なる形式の可能な最大数は、理論的には台４の総数によってのみ制限される。
【００２９】
必要な場合、本発明による方法は、同一の形式の製作物の製作にも使用可能である。この目的のために、循環機構の変換は必要ない。
【００３０】
図１により、異なる形式の製作物を製作する処理部分は、順々に組重ねる方法で配置される。つまり異なる形式の製作物Ａ、Ｂ、Ｃの第一の個々の副製作物がそれぞれ台４に供給される、これらのすべての処理部分は、互いに隣接するように配置される。それらは（図１には図示されない）処理部分により隣接され、それによって台４は、製作される異なる製作物の第二の個々の副製作物でそれぞれ満たされる。この結果、連続する処理部分はそれぞれ異なる台を満たす。
【００３１】
本発明の方法の関係で、同様に異なる形式の製作物の製作のために処理部分は配置可能であり、一つの形式の製作物を製作する処理部分は、順々に配置される。この場合、順々に配置される上記処理部分は、それぞれ個々の副製作物で同一の台を満たす。相当する方法は、図２を参照して以下説明される。
【００３２】
図１に示される方法の場合、個々の副製作物９、１０、１１は、台４上で選択される。周知の方法で上記個々の副製作物９、１０、１１を、区画を限定する相当する構想された要素の間に丁合い及び／又は挿入可能である。個々の製作物を集める三つの方法である“収集”、“丁合い”及び“挿入”は、ある形式で製作物を製作する際に、いずれかの方法によって結合可能である。
【００３３】
個々の副製作物の供給に役立つこれらの処理部分は、準備して集められる製作物を案内するために、搬送方向Ｆ内で処理部分８に隣接される。上記処理部分８は、周知の構成形式であり、牽引部材に一定の間隔で配置されるグリッパ１５を示す、移動コンベヤの開始位置である。
【００３４】
図１に示される実施例では、一つの処理部分８だけが提供され、準備して集められる製作物は、台４から持ち上げられる。装置全体から案内される製作物は形式Ａ、Ｂ及びＣの製作物であり、それぞれＸ個の副製作物を有し、それぞれ相当して図１のＡ（Ｚ１〜ＺＸ）、Ｂ（Ｚ１〜ＺＸ）及びＣ（Ｚ１〜ＺＸ）によって区別される。
【００３５】
処理部分８は閉鎖ガイド１４を有し、グリッパ１５がそれぞれ準備して集められる製作物と共に台４上に配置される際は、いつも閉鎖ガイド１４は、矢印方向に移動するグリッパ１５を正確に閉鎖する。この方法では、準備して集められる製作物は、把持されかつ装置から搬送される。
【００３６】
この装置では、台４及びグリッパ１５の搬送速度は同期され、順々に続くグリッパ１５は、順々に続く台４からそれぞれ準備して集められる製作物を持ち上げる。
【００３７】
図１に示される実施例に加えて、製作される各形式の製作物に合わせて処理部分を分割することも可能である。その結果、各処理部分は、装置全体から特別な形式の製作物のみ搬送する。
【００３８】
図２は、本発明の方法を実行するドラム機構を示す。
【００３９】
図２に示される装置の場合、サドル状の台１６は、図１の場合のように循環する牽引部材に適合されるのではなく、回転駆動される丈夫な円筒形ドラム１７に適合される。ドラム１７の回転軸（長手軸）１８の方向に延長するサドル状の台１６は、ドラムの回転軸１８から半径方向に延長する。
【００４０】
ドラム１７の台１６を（図２には示されない）個々の副製作物で満たすのに適切な処理部分１９〜２４は、ドラム１７に沿って提供される。この装置では、図１に類似して搬送手段２５を介して周知の方法で充満が行われる。搬送手段２５は、グリッパを有し、ドラム１７上方を回転軸１８の上方に延長する。この装置では図２のように、搬送手段２５は、グリッパ及び搬送される個々の副製作物なしで、概略に示される。
【００４１】
供給部分として構想される処理部分１９〜２４は、例えばステイプル又は接着式結合部分として構想される、先の処理部分２６に隣接される。
【００４２】
上記先の処理部分２６に隣接するのは（図２には詳細には示されない）製作物移動部分２７であり、そこでは、グリッパを有する移動コンベヤによって、準備して集められる製作物は、台１６から移動されかつ矢印方向に搬送される。
【００４３】
図２に示される装置は、以下のように機能する。
【００４４】
ドラム１７は回転され、処理部分１９を介して、台１６は、製作される製作物Ａの第一の個々の副製作物をそれぞれ満たされる。上記個々の副製作物は、部分的な製作物又は分冊であることが可能であり、ドラム１７の円周方向に順々に続く台１６の二個毎の台は、処理部分１９によって充満されない。
【００４５】
この方法で台１６に積み重ねられる個々の副製作物は、次の処理部分２０の搬送手段２５に到達するまで、概略螺旋形状の処理部分Ｖの第一部分を通じて移動する。製作物Ａの製作に必要な第二の個々の副製作物は、処理部分１９によって供給された個々の副製作物に積み重ねられる。従って、処理部分２０は同様に二個毎の台１６のみ充満し、処理部分１９で充満されなかったこれらの台は、ここでも充満されない。
【００４６】
台１６に積み重ねられる個々の副製作物を螺旋路２７に沿って移動可能にするために、軸方向に作用する相当する搬送手段は、明快に説明するために図２には示されていないが、周知の方法でドラム１７上で分割される。
【００４７】
二つの個々の副製作物を有する中間状態の製作物は、処理部分Ｖに沿って、更に処理部分２１の方向に搬送され、第三の個々の副製作物は、存在する二つの個々の副製作物に積み重ねられる。
【００４８】
処理部分２１によって台１６上に第三の個々の副製作物が積み重ねられると、三つの個々の副製作物を共に有する製作物Ａは完成する。
【００４９】
従って、準備して集められる製作物Ａは、処理部分２１の搬送方向後ろの二個毎の台１６に配置され、間に配置される台１６は空のままである。
【００５０】
これらの空の台は、処理部分２１に続く処理部分２２で、製作物Ｂの製作に必要な第一の個々の副製作物を満たされる。処理部分２２に続く処理部分２３及び２４は、製作物Ｂの製作に必要な第二及び第三の個々の副製作物が、処理部分２２によって満たされた台１６に満たされる。
【００５１】
まだ空である処理部分２１及び２２の間のこれらの台１６は、処理部分２２、２３及び２４で、製作物Ｂの製作に必要な個々の副製作物が満たされる。その結果、準備して集められる製作物Ａ又はＢは、それぞれ処理部分２４の後ろの各台１６に保持され、製作物Ａ及びＢは、ドラム１７の円周方向交互になっている。
【００５２】
処理部分２４の後で、上記準備して集められる製作物Ａ、Ｂは、例えばステイプル又は接着結合部分として構想され、製作物Ａ、Ｂの個々の副製作物を共にステイプル又は接着する、処理部分２６に到達する。この装置では、処理部分２６は、処理部分１９〜２４と異なって操作され、円周方向順々に続く、ドラム１７のすべての台１６は、順々に処理される。
【００５３】
処理部分２６の後で、終了した製作物Ａ、Ｂは、製作物移動部分２７に到達し、矢印方向にドラム１７から搬送される。ドラム１７の台１６上に終了した製作物Ａ、Ｂを有するこの装置により、製作物Ａ、Ｂは、図２の装置から交互に搬送される。
【００５４】
図３は、図２の切断線Ｃ−Ｃに相当する装置の断面図を示す。
【００５５】
図３には処理部分１９が示され、処理部分１９の末端は、矢印方向に移動するグリッパ２８を有する供給コンベヤになっている。二個毎のグリッパ２８は、製作物Ａの製作に必要な第一の個々の製作物２９を保持する。半径方向延長するサドル状の台１６を有し、回転軸１８の周りを回転するドラム１７は、処理部分１９の下に示される。
【００５６】
ドラム１７の回転速度とグリッパ２８の搬送速度を一致して同期させることにより、処理部分１９の開口ガイド３０の作動によって、ドラム１７の二個毎の台１６は、個々の副製作物２９で満たされる。
【００５７】
図４は、図２の切断線Ｄ−Ｄに相当する装置の断面図を示す。
【００５８】
図２に示される処理部分２２の構成及び作用は、図３を参照して説明される処理部分１９と一致する。
【００５９】
処理部分２２では、製作物Ａの製作に必要なすべての個々の副製作物Ａ（Ｚ１）、Ａ（Ｚ２）及びＡ（Ｚ３）は、既にドラム１７の台１６上に順々に積み重ねられ、ドラムの円周方向に順々に続く台１６の二つに一つだけが、製作物Ａの個々の副製作物で満たされる。既に満たされている上記台１６の間に配置される台は、搬送方向の処理部分２２の前では空であり、処理部分２２の位置では、まず最初に製作物Ｂの製作に必要な、第一の個々の副製作物３１又はＢ（Ｚ１）が満たされる。
【００６０】
図５は、移動部分２７の、図２の切断線Ｅ−Ｅに相当する断面図を示す。移動部分２７は、矢印方向に移動しかつドラム１７上に配置された閉鎖ガイド３４と相互作用する、グリッパ３３を有する移動コンベヤを示す。
【００６１】
ドラム１７の台１６上に、準備して集められかつステイプル又は接着された製作物Ａ及びＢは、ドラム１７の回転方向に交互に連続して配置される。
【００６２】
閉鎖ガイド３４によるグリッパ３３の相当する作用により、終了した製作物Ａ、Ｂは、把持されて台１６から持ち上げられ、更に矢印方向に移動部分２７から搬送される。上記搬送操作の場合、製作物Ａ、Ｂは、交互に連続して順々に続く。
【００６３】
この方法で搬送される製作物Ａ、Ｂは、好適には図６に相当するように先で共に処理され、詳細には共に包装される。この装置では、図６に示される実施例の場合、順々に続く二つの製作物Ａ、Ｂには、常に共通の包装材３５が供給される。
【００６４】
本発明による方法によって二種類より多い形式の製作物が製作される場合、相当する数の製作物が共に包装可能である。詳細には、移動コンベヤが装置全体から順々に異なる形式の製作物を搬送する場合に、これは簡単な方法で行うことができる。
【００６５】
図６に示される連続する製作物の共通の先の処理に加えて、図７に相当するように構想されている分流装置によって製作物の流れを分流することが可能である。図７では単に矢印３６によって示される分流装置は、製作物の流れを二つの分離された製作物の流れ３７、３８に分流している。製作物の流れ３７は排他的に製作物Ａを有し、製作物の流れ３８は排他的に製作物Ｂを有する。この方法では、異なる形式の製作物はそれぞれ分離された先の処理部分に供給可能である。
【００６６】
図８及び９は本質的には図４に相当し、異なる点は、図８のドラム１７’は、サドル状の台のかわりにポケット３９を有し、その中に副製作物が周知の方法で丁合いされることである。この装置では、既に丁合いされ、それぞれの場合で順々に配置されかつドラム１７’の二個毎のポケット３９にのみ積み重ねられた三つの個々の副製作物を有する製作物Ａ（Ｚ１〜Ｚ３）を図８は示す。処理部分４０によって、製作物Ｂの製作に必要な第一の個々の副製作物Ｂ（Ｚ１）は、処理部分４０の直前でまだ空のポケット３９に導入される。
【００６７】
図９は図８に相当し、異なる点は、製作物Ａ、Ｂが挿入によって共にもちこまれることである。図９に示される装置の場合、ドラム１７’’のポケット３９’は、ポケット内に既に配置された個々の副製作物を開口する、及び開口し続ける、周知の方法の手段を有することである。その結果、先で個々の副製作物の挿入が可能になる。
【００６８】
本発明による方法の実行に適切であり、収集、挿入及び／又は丁合いが行われるドラム機構は、例えば西独特許第２４  ４７  ３３６号、西独特許第２６  ０４  １０１号、欧州特許公開第０  ３４１  ４２５号、欧州特許公開第０  ５５０  ８２８号、欧州特許公開第０  ３４１  ４２４号及び欧州特許公開第０  ３５４  ３４３号に説明されている。
【００６９】
本発明による方法の実行に適切であり、収集、挿入及び／又は丁合いが行われる循環機構は、例えば欧州特許公開第０  ０９５  ６０３号及び欧州特許公開第０  ３４６  ５７８号に説明されている。
【図面の簡単な説明】
【図１】図１は、本発明による方法を実行する循環機構の長手の断面図である。
【図２】図２は、本発明による方法を実行するドラム機構の正面図である。
【図３】図３は、収集操作中の図２の切断線Ｃ−Ｃに沿った断面図である。
【図４】図４は、収集操作中の図２の切断線Ｄ−Ｄに沿った断面図である。
【図５】図５は、図２の切断線Ｅ−Ｅに沿った断面図である。
【図６】図６は、本発明の方法によって製造及び包装された製造物を示す。
【図７】図７は、本発明により製造された製作物を案内する装置を示す。
【図８】図８は、本発明の方法を実行し、個々の副製作物を丁合いするドラム機構を示す。
【図９】図９は、本発明の方法を実行し、個々の副製作物を挿入するドラム機構を示す。
【符号の説明】
４…台
５、６、７…処理部分
９、１０、１１…副製作物
１２…グリッパ
１３…開口ガイド
１４…閉鎖ガイド
【図１】
0003604765.tif 000002
【図２】
0003604765.tif 000003
【図３】
0003604765.tif 000004
【図４】
0003604765.tif 000005
【図５】
0003604765.tif 000006
【図６】
0003604765.tif 000007
【図７】
0003604765.tif 000008
【図８】
0003604765.tif 000009
【図９】
0003604765.tif 000010